(57)【要約】【課題】上方に位置する扁平管に対しても冷媒を十分に導きつつ、大型化および能力の低下を避けつつ、複数の扁平管の間における冷媒の偏流を小さく抑えることが可能な熱交換器および空気調和装置を提供する。【解決手段】上下に並んで設けられた複数の扁平多穴管６３と、複数の扁平多穴管６３が接続された第２ヘッダ集合管９０と、第２ヘッダ集合管９０に接続された第１接続配管２４と、蒸発器として用いられる場合に冷媒を導入空間９７から上方に送り出すノズル７１ａと、を備え、ノズル７１ａは、第１接続配管２４よりも扁平多穴管６３側に位置しており、導入空間９７は、第１接続配管２４が接続されている側の空間よりもノズル７１ａの下方の空間の方が上下方向の幅が狭くなるように構成されている。【選択図】図８
2019056543.tif 000002
【特許請求の範囲】
【請求項１】
ヘッダと、
前記ヘッダの長手方向に沿って並んでおり、前記ヘッダに接続される複数の扁平管（６３）と、
前記ヘッダ内の導入空間（９７、５１ｃ〜５４ｃ）に接続された冷媒配管（２４、２５、２０ａ〜２０ｄ）と、
蒸発器として用いられる場合において、前記ヘッダの長手方向における前記導入空間の隣に位置する供給空間（９８、５１ｂ〜５４ｂ）に、前記導入空間から冷媒を送り出すためのノズル部（７１ａ）と、
を備え、
前記ノズル部（７１ａ）は、前記冷媒配管よりも前記扁平管側に位置しており、
前記導入空間は、前記冷媒配管の接続側の空間よりも前記ノズル部が位置する前記扁平管側の空間の方が、前記ヘッダの長手方向における間隔が狭くなるように構成されている、
熱交換器（１１、１１ａ）。
【請求項２】
複数の前記扁平管は、前記ヘッダ内の前記供給空間（９８、５１ｂ〜５４ｂ）にのみ接続されている、
請求項１に記載の熱交換器。
【請求項３】
前記導入空間のうち前記ノズル部が位置する前記扁平管側の空間の前記ヘッダの長手方向における間隔は、前記冷媒配管の前記導入空間との接続箇所における前記ヘッダの長手方向における間隔よりも狭い、
請求項１または２に記載の熱交換器。
【請求項４】
前記冷媒配管は、円筒形状の配管である、
請求項３に記載の熱交換器。
【請求項５】
前記ノズル部を有しており、前記扁平管側において前記ヘッダ内を前記導入空間と前記供給空間とに区切る第１区切部（７１）と、
前記第１区切部の前記扁平管側とは反対側に設けられており、前記扁平管側とは反対側に向かうにつれて連続的に又は段階的に前記供給空間側に位置するように伸びている第１ガイド部（７２）と、
をさらに備えた、
請求項１から４のいずれか１項に記載の熱交換器。
【請求項６】
前記第１区切部と前記第１ガイド部とは、一部材として前記ヘッダ内を前記導入空間と前記供給空間とに区切っている、
請求項５に記載の熱交換器。
【請求項７】
前記導入空間の前記扁平管側において前記ヘッダの長手方向における前記供給空間側とは反対側の壁を構成する扁平管側壁部（３９１ａ）と、
前記扁平管側壁部の前記扁平管側とは反対側に設けられており、前記扁平管側とは反対側に向かうにつれて連続的に又は段階的に前記供給空間側とは反対側に位置するように伸びている第２ガイド部（３９１ｂ）と、
をさらに備えた、
請求項１から６のいずれか１項に記載の熱交換器。
【請求項８】
前記扁平管側壁部と前記第２ガイド部とは、一部材として前記導入空間の前記ヘッダの長手方向における前記供給空間側とは反対側の壁を構成している、
請求項７に記載の熱交換器。
【請求項９】
前記ノズル部を有しており、前記扁平管側において前記ヘッダ内を前記導入空間と前記供給空間とに区切る第１区切部（７１）と、
前記第１区切部（７１）の前記扁平管側とは反対側に設けられており、前記扁平管側とは反対側に向かうにつれて連続的に又は段階的に前記供給空間側に位置するように伸びている第１ガイド部（７２）と、
前記導入空間の前記扁平管側において前記ヘッダの長手方向における前記供給空間側とは反対側の壁を構成する扁平管側壁部（３９１ａ）と、
前記扁平管側壁部の前記扁平管側とは反対側に設けられており、前記扁平管側とは反対側に向かうにつれて連続的に又は段階的に前記供給空間側とは反対側に位置するように伸びている第２ガイド部（３９１ｂ）と、
をさらに備え、
前記冷媒配管は、前記第１ガイド部と前記第２ガイド部とで囲まれた部分に接続されている、
請求項１から４のいずれか１項に記載の熱交換器。
【請求項１０】
前記ヘッダ内の前記供給空間（９８、５１ｂ〜５４ｂ）を、複数の前記扁平管が接続されている側の第１空間（９８Ａ）と、複数の前記扁平管が接続されている側とは反対側の第２空間（９８Ｂ）と、に区切る供給空間区切部材（９５）をさらに備え、
前記第１空間のうち前記ヘッダの長手方向における前記導入空間側とは反対側の領域と前記第２空間のうち前記ヘッダの長手方向における前記導入空間側とは反対側の領域とは、第１連通路（９５ａ）を介して連通しており、
前記第１空間のうち前記ヘッダの長手方向における前記導入空間側の領域と前記第２空間のうち前記ヘッダの長手方向における前記導入空間側の領域とは、第２連通路（９５ｂ）を介して連通しており、
前記ノズル部を通過した冷媒が、前記第１空間と前記第１連通路と前記第２空間と前記第２連通路とを循環して流れるように構成されている、
請求項１から９のいずれか１項に記載の熱交換器。
【請求項１１】
前記ヘッダの長手方向は鉛直方向である、
請求項１から１０のいずれか１項に記載の熱交換器。
【請求項１２】
請求項１から１１のいずれか１項に記載の熱交換器を有し、冷媒が循環する冷媒回路を備えた、
空気調和装置（１）。
【発明の詳細な説明】
【技術分野】
【０００１】
本開示は、熱交換器および空気調和装置に関する。
【背景技術】
【０００２】
従来より、複数の扁平管と、複数の扁平管に接合されたフィンと、複数の扁平管の端部に連結されたヘッダとを備え、扁平管の内部を流れる冷媒を扁平管の外部を流れる空気と熱交換させる熱交換器が知られている。
【０００３】
例えば、特許文献１（特開２０１５−１２７６１８号公報）に記載の熱交換器では、ヘッダ内の空間を水平に広がった仕切部材で上方空間と下方空間とに仕切りつつ、当該仕切部材に上昇用ノズルを設けることで、上方空間の上方の領域において接続されている扁平管に対しても冷媒を十分に到達させるようにしている。
【発明の概要】
【発明が解決しようとする課題】
【０００４】
ところが、この特許文献１に記載の熱交換器では、ヘッダ内の上方空間だけでなく下方空間においても扁平管が接続されている。
【０００５】
ここで、上昇用ノズルを通過する前の空間である下方空間は、上昇用ノズルの圧力損失を受けないため、上方空間よりも圧力が高めになりがちであり、下方空間に接続されている扁平管に対して冷媒が集中的に流れてしまいがちになる。
【０００６】
このため、上方空間に接続されている扁平管における冷媒流量と下方空間に接続されている扁平管における冷媒流量とが異なり、冷媒の偏流が生じてしまうおそれがある。
【０００７】
これに対して、複数の扁平管をできるだけ上昇用ノズルの上方でヘッダに接続させて冷媒が集中的に流れる扁平管を無くすまたは少なくすることも考えられるが、ヘッダの外部から上昇用ノズルの下方の空間に対して冷媒配管を介して冷媒が供給される場合には、当該冷媒配管が接続される空間に扁平管を接続しないまたは接続する扁平管を少なくする必要が生じてしまう。このため、同じ数の扁平管を接続しようとすると上下方向に熱交換器が大型化してしまうことになり、上下方向の大型化を避けようとすると接続される扁平管の本数を減らして能力を下げることが必要になってしまう。
【０００８】
本開示は上述した点に鑑みてなされたものであり、本開示の課題は、上方に位置する扁平管に対しても冷媒を十分に導きつつ、大型化および能力の低下を避けつつ、複数の扁平管の間における冷媒の偏流を小さく抑えることが可能な熱交換器および空気調和装置を提供することにある。
【課題を解決するための手段】
【０００９】
第１観点に係る熱交換器は、ヘッダと、複数の扁平管と、冷媒配管と、ノズル部と、を備えている。複数の扁平管は、ヘッダの長手方向に沿って並んで設けられている。ヘッダは、複数の扁平管が接続されている。冷媒配管は、ヘッダ内の導入空間に接続されている。ノズル部は、熱交換器が蒸発器として用いられる場合において、ヘッダの長手方向における導入空間の隣に位置する供給空間に、導入空間から冷媒を送り出すためのものである。ノズル部は、冷媒配管よりも扁平管側に位置している。導入空間は、冷媒配管の接続側の空間よりもノズル部が位置する扁平管側の空間の方が、ヘッダの長手方向における間隔が狭くなるように構成されている。
【００１０】
扁平管は、特に限定されず、例えば、流路断面の長手方向に複数の流路が並んで形成されているものであってもよい。
【００１１】
この熱交換器では、ノズル部によって冷媒を導入空間から供給空間に送ることでヘッダ内の導入空間の隣の空間である供給空間に接続されている扁平管に対しても十分に冷媒を供給することが可能となっている。
【００１２】
また、ヘッダ外部から冷媒配管を介して冷媒が供給される場合であっても、導入空間は、冷媒配管の接続側の空間よりもノズル部の導入空間側の空間の方がヘッダの長手方向の間隔が狭くなるように構成されている。このため、ノズル部を通過する前の冷媒が流れる導入空間に対して接続される扁平管の本数を少なく抑えることができる。これにより、ヘッダに接続されている扁平管をできるだけノズル部の供給空間側に位置させることが可能となり、ノズル部の通過前の圧力が高くなりがちな空間に接続される扁平管を無くするか少なくすることが可能になっている。したがって、冷媒が集中的に流れる扁平管を無くするか少なくすることが可能となり、複数の扁平管の間における冷媒の偏流を小さく抑えることが可能になる。
【００１３】
また、導入空間のうちノズル部側の空間のヘッダの長手方向の間隔を狭く構成することができるため、ノズル部に対する供給空間側の空間において偏流の少ない扁平管を十分な本数接続することが可能になる。これにより、偏流抑制のために導入空間に接続される扁平管を無くする場合や減らす場合の能力の低下を小さく抑えつつ、熱交換器のヘッダの長手方向における大型化を抑制させることが可能になる。
【００１４】
以上により、ヘッダの供給空間に接続された扁平管に対しても冷媒を十分に導きつつ、大型化および能力の低下を抑制し、複数の扁平管の間における冷媒の偏流を小さく抑えることが可能になる。
【００１５】
第２観点に係る熱交換器は、第１観点に係る熱交換器であって、複数の扁平管は、ヘッダ内の供給空間にのみ接続されている。
【００１６】
この熱交換器では、複数の扁平管がヘッダ内の供給空間にのみ接続されおり、導入空間には接続されていない。このため、ノズル部を通過する前の比較的圧力が高い空間に接続された扁平管が存在せず、各扁平管は一様にノズル部を通過した後の空間に接続されることになる。これにより、冷媒が集中的に流れてしまう扁平管を無くして、複数の扁平管の間における偏流を十分に抑制することが可能になる。
【００１７】
第３観点に係る熱交換器は、第１観点または第２観点に係る熱交換器であって、導入空間のうちノズル部が位置する扁平管側の空間のヘッダの長手方向における間隔は、冷媒配管の導入空間との接続箇所におけるヘッダの長手方向における間隔よりも狭い。
【００１８】
このような構造の例としては、特に限定されないが、例えば、複数の扁平管がヘッダの長手方向に沿って所定の間隔をあけて配置されている場合において、当該間隔が冷媒配管の外径よりも狭い場合等が挙げられる。
【００１９】
この熱交換器では、ヘッダ外部から冷媒配管を介して冷媒が供給されており、導入空間のうちノズル部が設けられている部分におけるヘッダの長手方向の間隔が冷媒配管の幅よりも狭い構造であっても、導入空間は、冷媒配管の接続側の空間よりもノズル部が設けられている側の空間の方がヘッダの長手方向の間隔が狭くなるように構成されているため、扁平管の冷媒の偏流と熱交換器の大型化および能力の低下を抑制しつつ、導入空間に対して冷媒配管を接続することが可能になる。
【００２０】
第４観点に係る熱交換器は、第３観点に係る熱交換器であって、冷媒配管は、円筒形状の配管である。
【００２１】
この熱交換器では、冷媒配管が円筒形状であるため、簡易な形状により耐圧強度を高めることができる。そして、このように円筒形状の冷媒配管を採用した場合には、例えば、扁平形状の冷媒配管を採用する場合と比べて、同じ流路面積を実現する場合のヘッダの長手方向の間隔を狭くすることが困難であり、ヘッダの長手方向の間隔が広くなりがちである。このようにヘッダの長手方向の間隔が広くなりがちな円筒形状の冷媒配管を用いた場合であっても、円筒形状の冷媒配管の外径よりも導入空間のうちノズル部が設けられている側におけるヘッダの長手方向の間隔が狭くなるように構成されているため、扁平管の冷媒の偏流と熱交換器の大型化および能力の低下を抑制することが可能になる。
【００２２】
第５観点に係る熱交換器は、第１観点から第４観点のいずれかに係る熱交換器であって、第１区切部と、第１ガイド部と、をさらに備えている。第１区切部には、ノズル部が形成されている。第１区切部は、ヘッダ内を扁平管側において導入空間と供給空間とに区切る。第１ガイド部は、第１区切部の扁平管側とは反対側に設けられており、扁平管側とは反対側に向かうにつれて連続的に又は段階的に供給空間側に位置するように伸びている。
【００２３】
なお、ノズル部は、第１区切部においてヘッダの長手方向に貫通した箇所が形成されることで設けられていてもよい。
【００２４】
また、第１区切部は、ヘッダの長手方向に直交する平面状に広がった板状に構成されていてもよい。
【００２５】
この熱交換器では、第１ガイド部における扁平管側とは反対側のヘッダの長手方向における位置がノズル部のうちのヘッダの長手方向における導入空間側の端部よりも供給空間側に位置していても、冷媒配管を介して導入空間に導入された冷媒を、第１ガイド部が第１ガイド部のうちの導入空間側の部分によってヘッダの長手方向における供給空間側とは反対側に導くことで、第１区切部に形成されたノズルの導入空間側に送ることが可能になる。したがって、第１ガイド部における扁平管側とは反対側のヘッダの長手方向における位置がノズル部の導入空間側の端部よりも供給空間側に位置していても、ノズルの導入空間側に冷媒を送ることを可能としつつ、導入空間のうちの扁平管側の空間部分のヘッダの長手方向における供給空間側の端部の位置を供給空間側とは反対側にすることで導入空間への扁平管の接続を抑制させることが可能になっている。
【００２６】
また、第１ガイド部が、扁平管側とは反対側に向かうにつれてヘッダの長手方向において供給空間側に位置するように伸びているため、導入空間に接続される冷媒配管のヘッダの長手方向における供給空間側の端部の位置をより供給空間側にすることが可能になる。
【００２７】
なお、この熱交換器では、導入空間の供給空間側の端部が第１区切部と第１ガイド部によって構成され、導入空間の供給空間側とは反対側の端部がヘッダの長手方向に直交するように広がった平板部によって構成されていてもよい。このように平板部が用いられる場合において、用いられる冷媒配管の導入空間に接続されている側の端部のヘッダの長手方向における幅が広い場合には、冷媒配管の導入空間に接続されている側の端部のヘッダの長手方向における供給空間側の端部が、より供給空間側に位置してしまいがちになり、例えば、複数の扁平管のうちノズル部よりも供給空間側でノズル部から最も近い扁平管のヘッダの長手方向における導入空間側の端部よりもヘッダの長手方向において供給空間側に位置してしまう場合もある。しかし、このような場合であっても、第１ガイド部が扁平管側とは反対側に向かうにつれてヘッダの長手方向における供給空間側に位置するように伸びているため、冷媒配管の導入空間に接続されている側の端部のうちヘッダの長手方向における供給空間側の端部を第１ガイド部よりも供給空間側とは反対側に位置させることができる。
【００２８】
第６観点に係る熱交換器は、第５観点に係る熱交換器であって、第１区切部と第１ガイド部とは、一部材としてヘッダ内を導入空間と供給空間とに区切っている。
【００２９】
この熱交換器では、第１区切部と第１ガイド部とを一部材として構成させて、ヘッダ内を導入空間と供給空間とに区切ることで、部品点数を削減することが可能になる。
【００３０】
第７観点に係る熱交換器は、第１観点から第６観点のいずれかに係る熱交換器であって、扁平管側壁部と、第２ガイド部と、をさらに備えている。扁平管側壁部は、導入空間の扁平管側においてヘッダの長手方向における供給空間側とは反対側の壁を構成している。第２ガイド部は、扁平管側壁部の扁平管側とは反対側に設けられており、扁平管側とは反対側に向かうにつれて連続的に又は段階的に供給空間側とは反対側に位置するように伸びている。
【００３１】
なお、扁平管側壁部は、ヘッダの長手方向に直交する平面状に広がった板状に構成されていてもよい。
【００３２】
この熱交換器では、冷媒配管と導入空間の接続部分に扁平管側壁部よりもヘッダの長手方向において供給空間側とは反対側に位置する箇所が含まれていても、冷媒配管を介して導入空間に導入された冷媒を、第２ガイド部が第２ガイド部のうちの供給空間側の部分によって供給空間側に導くことで、扁平管側壁部の供給空間側の位置に送ることが可能になる。したがって、冷媒配管と導入空間の接続部分に扁平管側壁部よりもヘッダの長手方向において供給空間側とは反対側に位置する箇所が含まれていても、扁平管側壁部の供給空間側の位置に冷媒を送ることを可能としつつ、導入空間のうちの扁平管側の空間部分のヘッダの長手方向における供給空間側とは反対側の端部の位置を供給空間側にすることで導入空間への扁平管の接続を抑制させることが可能になっている。
【００３３】
また、第２ガイド部が、扁平管側とは反対側に向かうにつれてヘッダの長手方向において供給空間側とは反対側に位置するように伸びているため、導入空間に接続される冷媒配管のヘッダの長手方向における供給空間側とは反対側の端部を第２ガイド部よりも供給空間側に位置させることが可能になる。
【００３４】
なお、この熱交換器では、導入空間のうちのヘッダの長手方向における供給空間側とは反対側の端部が扁平管側壁部と第２ガイド部によって構成され、導入空間のうちの供給空間側がヘッダの長手方向に直交する平面状に広がっておりノズル部が形成された平板部によって構成されていてもよい。このように平板部が用いられる場合において、用いられる冷媒配管の導入空間に接続されている側の端部のヘッダの長手方向における間隔が広い場合には、冷媒配管の導入空間に接続されている側の端部のヘッダの長手方向における供給空間側とは反対側の端部が、より供給空間側とは反対側に位置してしまいがちになる。しかし、このような場合であっても、第２ガイド部が扁平管側とは反対側に向かうにつれて供給空間側とは反対側に位置するように伸びているため、冷媒配管の導入空間に接続されている側の端部のうちヘッダの長手方向における供給空間側とは反対側の端部を第２ガイド部よりも供給空間側に位置させることができる。
【００３５】
第８観点に係る熱交換器は、第７観点に係る熱交換器であって、扁平管側壁部と第２ガイド部とは、一部材として導入空間の底を構成している。
【００３６】
この熱交換器では、扁平管側壁部と第２ガイド部とを一部材として構成させて、導入空間の供給空間側とは反対側の部分を構成することで、部品点数を削減することが可能になる。
【００３７】
第９観点に係る熱交換器は、第１観点から第４観点のいずれかに係る熱交換器であって、第１区切部と、第１ガイド部と、扁平管側壁部と、第２下方ガイド部と、をさらに備えている。第１区切部には、ノズル部が形成されている。第１区切部は、扁平管側においてヘッダ内を導入空間と供給空間とに区切る。第１ガイド部は、第１区切部の扁平管側とは反対側に設けられており、扁平管側とは反対側に向かうにつれて連続的に又は段階的に供給空間側に位置するように伸びている。扁平管側壁部は、導入空間の扁平管側においてヘッダの長手方向における供給空間側とは反対側の壁を構成している。第２ガイド部は、扁平管側壁部の扁平管側とは反対側に設けられており、扁平管側とは反対側に向かうにつれて連続的に又は段階的に供給空間側とは反対側に位置するように伸びている。冷媒配管は、第１ガイド部と第２ガイド部とで囲まれた部分に接続されている。
【００３８】
なお、ノズル部は、第１区切部においてヘッダの長手方向に貫通した箇所が形成されることで設けられていてもよい。
【００３９】
また、第１区切部は、ヘッダの長手方向に直交する平面状に広がった板状に構成されていてもよい。
【００４０】
なお、扁平管側壁部は、ヘッダの長手方向に直交する平面状に広がった板状に構成されていてもよい。
【００４１】
この熱交換器では、第１ガイド部における扁平管側とは反対側のヘッダの長手方向における位置がノズル部のうちのヘッダの長手方向における導入空間側の端部よりも供給空間側に位置していても、冷媒配管を介して導入空間に導入された冷媒を、第１ガイド部が第１ガイド部のうちの導入空間側の部分によってヘッダの長手方向における供給空間側とは反対側に導くことで、第１区切部に形成されたノズルの導入空間側に送ることが可能になる。したがって、第１ガイド部における扁平管側とは反対側のヘッダの長手方向における位置がノズル部の導入空間側の端部よりも供給空間側に位置していても、ノズルの導入空間側に冷媒を送ることを可能としつつ、導入空間のうちの扁平管側の空間部分のヘッダの長手方向における供給空間側の端部の位置を供給空間側とは反対側にすることで導入空間への扁平管の接続を抑制させることが可能になっている。
【００４２】
また、この熱交換器では、冷媒配管と導入空間の接続部分に扁平管側壁部よりもヘッダの長手方向において供給空間側とは反対側に位置する箇所が含まれていても、冷媒配管を介して導入空間に導入された冷媒を、第２ガイド部が第２ガイド部のうちの供給空間側の部分によって供給空間側に導くことで、扁平管側壁部の供給空間側の位置に送ることが可能になる。したがって、冷媒配管と導入空間の接続部分に扁平管側壁部よりもヘッダの長手方向において供給空間側とは反対側に位置する箇所が含まれていても、扁平管側壁部の供給空間側の位置に冷媒を送ることを可能としつつ、導入空間のうちの扁平管側の空間部分のヘッダの長手方向における供給空間側とは反対側の端部の位置を供給空間側にすることで導入空間への扁平管の接続を抑制させることが可能になっている。
【００４３】
そして、この熱交換器では、第１ガイド部が、扁平管側とは反対側に向かうにつれてヘッダの長手方向において供給空間側に位置するように伸びているため、導入空間に接続される冷媒配管のヘッダの長手方向における供給空間側の端部の位置をより供給空間側にすることができると共に導入空間のうちの扁平管側の空間部分のヘッダの長手方向における供給空間側の端部の位置を供給空間側とは反対側にすることができる。さらに、第２ガイド部が、扁平管側とは反対側に向かうにつれてヘッダの長手方向において供給空間側とは反対側に位置するように伸びているため、導入空間に接続される冷媒配管のヘッダの長手方向における供給空間側とは反対側の端部の位置をより供給空間側とは反対側にすることができると共に導入空間のうちの扁平管側の空間部分のヘッダの長手方向における供給空間側とは反対側の端部の位置をより供給空間側にすることができる。したがって、導入空間に接続することができる冷媒配管の外径が大きい場合であっても、導入空間への扁平管の接続を抑制させることが可能になる。
【００４４】
さらに、第１ガイド部と第２ガイド部とで囲まれた部分に冷媒配管が接続されているため、冷媒配管から導入空間に導入された冷媒の多くについて、第１ガイド部や第２ガイド部への衝突を抑制させつつ、第１区切部と扁平管側壁部で囲まれた空間に供給することができる。このため、冷媒流れが第１ガイド部や第２ガイド部に衝突する際に生じる圧力損失を小さく抑えることが可能になる。
【００４５】
第１０観点に係る熱交換器は、第１観点から第９観点のいずれかに係る熱交換器であって、供給空間区切部材をさらに備えている。供給空間区切部材は、ヘッダ内の供給空間を、複数の扁平管が接続されている側の第１空間と、複数の扁平管が接続されている側とは反対側の第２空間と、に区切っている。第１空間のうちヘッダの長手方向における導入空間側とは反対側の領域と第２空間のうちヘッダの長手方向における導入空間側とは反対側の領域とは、第１連通路を介して連通している。第１空間のうちヘッダの長手方向における導入空間側の領域と第２空間のうちヘッダの長手方向における導入空間側の領域とは、第２連通路を介して連通している。この熱交換器は、ノズル部を通過した冷媒が、第１空間と第１連通路と第２空間と第２連通路とを循環して流れるように構成されている。
【００４６】
この熱交換器では、ヘッダ内の空間のうちの供給空間側が、供給空間区切部材によって、扁平管側の第１空間と、扁平管側とは反対側の第２空間と、に区切られている。このため、供給空間区切部材が設けられていない場合よりも供給空間区切部材が設けられている場合のほうが、冷媒がヘッダの長手方向における供給空間側に向けて流れる側の空間を狭めることができるため、熱交換器における冷媒の循環量が小さい場合であっても、冷媒をより導入空間側とは反対側に到達させやすくなっている。また、熱交換器における冷媒の循環量が大きい場合において、扁平管の出入口の横を勢いよく冷媒が通過してしまうことがあっても、当該冷媒を、第１空間と第１連通路と第２空間と第２連通路との間で循環させることにより、再度、扁平管に導くことが可能になる。
【００４７】
第１１観点に係る熱交換器は、第１観点から第１０観点のいずれかに係る熱交換器であって、ヘッダの長手方向は鉛直方向である。
【００４８】
この熱交換器では、鉛直方向に伸びるヘッダに対して鉛直方向に並んだ複数の扁平管が接続されているものの、供給空間の上方に接続されている扁平管に対しても十分に冷媒を供給することが可能になる。
【００４９】
第１２観点に係る空気調和装置は、冷媒が循環する冷媒回路を備えている。冷媒回路は、第１観点から第１１観点のいずれかに係る熱交換器を有している。
【００５０】
この空気調和装置では、熱交換器においてヘッダの上方に接続された扁平管に対しても冷媒を十分に導きつつ、熱交換器の大型化を抑制しつつ、複数の扁平管の間における冷媒の偏流を小さく抑えることで、空気調和装置の能力を向上させることが可能になる。
【図面の簡単な説明】
【００５１】
【図１】一実施形態に係る熱交換器が採用された空気調和装置の概略構成図である。
【図２】室外ユニットの外観斜視図である。
【図３】室外ユニットの正面図（室外熱交換器以外の冷媒回路構成部品を除いて図示）である。
【図４】室外熱交換器の概略斜視図である。
【図５】図４の熱交換部の部分拡大図である。
【図６】伝熱フィンの扁平多穴管に対する取付状態を示す概略図である。
【図７】室外熱交換器の冷媒流れを説明するための構成図である。
【図８】室外熱交換器の第２ヘッダ集合管の上端近傍部分における空気流れ方向視の概略断面構成図である。
【図９】室外熱交換器の第２ヘッダ集合管の上端近傍部分における上面視の概略断面構成図である。
【図１０】ノズル付き部分傾斜区切部材の概略外観斜視図である。
【図１１】循環用区切板の扁平多穴管の挿入方向視における概略外観図である。
【図１２】変形例Ａに係る室外熱交換器の第２ヘッダ集合管の上端近傍部分における空気流れ方向視の概略断面構成図である。
【図１３】変形例Ｂに係る室外熱交換器の第２ヘッダ集合管の上端近傍部分における空気流れ方向視の概略断面構成図である。
【図１４】変形例Ｃに係る室外熱交換器の第２ヘッダ集合管の上端近傍部分における空気流れ方向視の概略断面構成図である。
【図１５】部分傾斜仕切部材の概略外観斜視図である。
【図１６】変形例Ｄに係る室外熱交換器の概略斜視図である。
【図１７】変形例Ｄに係る室外熱交換器の冷媒流れを説明するための構成図である。
【図１８】参考例に係る室外熱交換器の第２ヘッダ集合管の上端近傍部分における空気流れ方向視の概略断面構成図である。
【発明を実施するための形態】
【００５２】
以下、熱交換器としての室外熱交換器が採用された空気調和装置の実施形態およびその変形例について、図面に基づいて説明する。なお、熱交換器としての室外熱交換器の具体的な構成は、下記の実施形態およびその変形例に限られるものではなく、その要旨を逸脱しない範囲で変更可能である。
【００５３】
（１）空気調和装置の構成
図１は、一実施形態に係る熱交換器としての室外熱交換器１１が採用された空気調和装置１の概略構成図である。
【００５４】
空気調和装置１は、蒸気圧縮式の冷凍サイクルを行うことによって、建物等の室内の冷房および暖房を行うことが可能な装置である。空気調和装置１は、主として、室外ユニット２と、室内ユニット３ａ、３ｂと、室外ユニット２と室内ユニット３ａ、３ｂとを接続する液冷媒連絡管４およびガス冷媒連絡管５と、室外ユニット２および室内ユニット３ａ、３ｂの構成機器を制御する制御部２３と、を有している。そして、空気調和装置１の蒸気圧縮式の冷媒回路６は、室外ユニット２と、室内ユニット３ａ、３ｂとが冷媒連絡管４、５を介して接続されることによって構成されている。
【００５５】
室外ユニット２は、室外（建物の屋上や建物の壁面近傍等）に設置されており、冷媒回路６の一部を構成している。室外ユニット２は、主として、アキュムレータ７、圧縮機８と、四路切換弁１０と、室外熱交換器１１と、膨張機構としての室外膨張弁１２と、液側閉鎖弁１３と、ガス側閉鎖弁１４と、室外ファン１５と、を有している。各機器および弁間は、冷媒管１６〜２２によって接続されている。
【００５６】
室内ユニット３ａ、３ｂは、室内（居室や天井裏空間等）に設置されており、冷媒回路６の一部を構成している。室内ユニット３ａは、主として、室内膨張弁３１ａと、室内熱交換器３２ａと、室内ファン３３ａと、を有している。室内ユニット３ｂは、主として、膨張機構としての室内膨張弁３１ｂと、室内熱交換器３２ｂと、室内ファン３３ｂと、を有している。
【００５７】
冷媒連絡管４、５は、空気調和装置１を建物等の設置場所に設置する際に、現地にて施工される冷媒管である。液冷媒連絡管４の一端は、室外ユニット２の液側閉鎖弁１３に接続され、液冷媒連絡管４の他端は、室内ユニット３ａ、３ｂの室内膨張弁３１ａ、３１ｂの液側端に接続されている。ガス冷媒連絡管５の一端は、室外ユニット２のガス側閉鎖弁１４に接続され、ガス冷媒連絡管５の他端は、室内ユニット３ａ、３ｂの室内熱交換器３２ａ、３２ｂのガス側端に接続されている。
【００５８】
制御部２３は、室外ユニット２や室内ユニット３ａ、３ｂに設けられた制御基板等（図示せず）が通信接続されることによって構成されている。なお、図１においては、便宜上、室外ユニット２や室内ユニット３ａ、３ｂとは離れた位置に図示している。制御部２３は、空気調和装置１（ここでは、室外ユニット２や室内ユニット３ａ、３ｂ）の構成機器８、１０、１２、１５、３１ａ、３１ｂ、３３ａ、３３ｂの制御、すなわち、空気調和装置１全体の運転制御を行うようになっている。
【００５９】
（２）空気調和装置の動作
次に、図１を用いて、空気調和装置１の動作について説明する。空気調和装置１では、圧縮機８、室外熱交換器１１、室外膨張弁１２および室内膨張弁３１ａ、３１ｂ、室内熱交換器３２ａ、３２ｂの順に冷媒を流す冷房運転と、圧縮機８、室内熱交換器３２ａ、３２ｂ、室内膨張弁３１ａ、３１ｂおよび室外膨張弁１２、室外熱交換器１１の順に冷媒を流す暖房運転と、が行われる。なお、冷房運転および暖房運転は、制御部２３によって行われる。
【００６０】
冷房運転時には、四路切換弁１０が室外放熱状態（図１の実線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０を通じて、室外熱交換器１１に送られる。室外熱交換器１１に送られた高圧のガス冷媒は、冷媒の放熱器として機能する室外熱交換器１１において、室外ファン１５によって冷却源として供給される室外空気と熱交換を行って放熱して、高圧の液冷媒になる。室外熱交換器１１において放熱した高圧の液冷媒は、室外膨張弁１２、液側閉鎖弁１３および液冷媒連絡管４を通じて、室内膨張弁３１ａ、３１ｂに送られる。室内膨張弁３１ａ、３１ｂに送られた冷媒は、室内膨張弁３１ａ、３１ｂによって冷凍サイクルの低圧まで減圧されて、低圧の気液二相状態の冷媒になる。室内膨張弁３１ａ、３１ｂで減圧された低圧の気液二相状態の冷媒は、室内熱交換器３２ａ、３２ｂに送られる。室内熱交換器３２ａ、３２ｂに送られた低圧の気液二相状態の冷媒は、室内熱交換器３２ａ、３２ｂにおいて、室内ファン３３ａ、３３ｂによって加熱源として供給される室内空気と熱交換を行って蒸発する。これにより、室内空気は冷却され、その後に、室内に供給されることで室内の冷房が行われる。室内熱交換器３２ａ、３２ｂにおいて蒸発した低圧のガス冷媒は、ガス冷媒連絡管５、ガス側閉鎖弁１４、四路切換弁１０およびアキュムレータ７を通じて、再び、圧縮機８に吸入される。
【００６１】
暖房運転時には、四路切換弁１０が室外蒸発状態（図１の破線で示される状態）に切り換えられる。冷媒回路６において、冷凍サイクルの低圧のガス冷媒は、圧縮機８に吸入され、冷凍サイクルの高圧になるまで圧縮された後に吐出される。圧縮機８から吐出された高圧のガス冷媒は、四路切換弁１０、ガス側閉鎖弁１４およびガス冷媒連絡管５を通じて、室内熱交換器３２ａ、３２ｂに送られる。室内熱交換器３２ａ、３２ｂに送られた高圧のガス冷媒は、室内熱交換器３２ａ、３２ｂにおいて、室内ファン３３ａ、３３ｂによって冷却源として供給される室内空気と熱交換を行って放熱して、高圧の液冷媒になる。これにより、室内空気は加熱され、その後に、室内に供給されることで室内の暖房が行われる。室内熱交換器３２ａ、３２ｂで放熱した高圧の液冷媒は、室内膨張弁３１ａ、３１ｂ、液冷媒連絡管４および液側閉鎖弁１３を通じて、室外膨張弁１２に送られる。室外膨張弁１２に送られた冷媒は、室外膨張弁１２によって冷凍サイクルの低圧まで減圧されて、低圧の気液二相状態の冷媒になる。室外膨張弁１２で減圧された低圧の気液二相状態の冷媒は、室外熱交換器１１に送られる。室外熱交換器１１に送られた低圧の気液二相状態の冷媒は、冷媒の蒸発器として機能する室外熱交換器１１において、室外ファン１５によって加熱源として供給される室外空気と熱交換を行って蒸発して、低圧のガス冷媒になる。室外熱交換器１１で蒸発した低圧の冷媒は、四路切換弁１０およびアキュムレータ７を通じて、再び、圧縮機８に吸入される。
【００６２】
（３）室外ユニットの構成
図２は、室外ユニット２の外観斜視図である。図３は、室外ユニット２の正面図（室外熱交換器１１以外の冷媒回路構成部品を除いて図示）である。図４は、室外熱交換器１１の概略斜視図である。図５は、図４の熱交換部６０の部分拡大図である。図６は、フィン６４の扁平多穴管６３に対する取付状態を示す概略図である。図７は、室外熱交換器１１における冷媒流れを説明するための構成図である。
【００６３】
（３−１）全体構成
室外ユニット２は、ケーシング４０の側面から空気を吸い込んでケーシング４０の天面から空気を吹き出す上吹き型の熱交換ユニットである。室外ユニット２は、主として、略直方体箱状のケーシング４０と、送風機としての室外ファン１５と、圧縮機や室外熱交換器等の機器７、８、１１、四路切換弁や室外膨張弁等の弁１０、１２〜１４および冷媒管１６〜２２等を含み冷媒回路６の一部を構成する冷媒回路構成部品と、を有している。なお、以下の説明において、「上」、「下」、「左」、「右」、「前」、「後」、「前面」、「背面」は、特にことわりのない限り、図２に示される室外ユニット２を前方（図面の左斜前側）から見た場合の方向を意味している。
【００６４】
ケーシング４０は、主として、左右方向に延びる一対の据付脚４１上に架け渡される底フレーム４２と、底フレーム４２の角部から鉛直方向に延びる支柱４３と、支柱４３の上端に取り付けられるファンモジュール４４と、前面パネル４５と、を有しており、側面（ここでは、背面および左右両側面）に空気の吸込口４０ａ、４０ｂ、４０ｃと天面に空気の吹出口４０ｄとが形成されている。
【００６５】
底フレーム４２は、ケーシング４０の底面を形成しており、底フレーム４２上には、室外熱交換器１１が設けられている。ここで、室外熱交換器１１は、ケーシング４０の背面および左右両側面に面する平面視略Ｕ字形状の熱交換器であり、ケーシング４０の背面および左右両側面を実質的に形成している。
【００６６】
室外熱交換器１１の上側には、ファンモジュール４４が設けられており、ケーシング４０の前面、背面および左右両面の支柱４３よりも上側の部分と、ケーシング４０の天面と、を形成している。ここで、ファンモジュール４４は、上面および下面が開口した略直方体形状の箱体に室外ファン１５が収容された集合体である。ファンモジュール４４の天面の開口は、吹出口４０ｄであり、吹出口４０ｄには、吹出グリル４６が設けられている。室外ファン１５は、ケーシング４０内において吹出口４０ｄに面して配置されており、空気を吸込口４０ａ、４０ｂ、４０ｃからケーシング４０内に取り込んで吹出口４０ｄから排出させる送風機である。
【００６７】
前面パネル４５は、前面側の支柱４３間に架け渡されており、ケーシング４０の前面を形成している。
【００６８】
ケーシング４０内には、室外ファン１５および室外熱交換器１１以外の冷媒回路構成部品（図２においては、アキュムレータ７、圧縮機８および冷媒管１６〜１８を図示）も収容されている。ここで、圧縮機８およびアキュムレータ７は、底フレーム４２上に設けられている。
【００６９】
このように、室外ユニット２は、側面（ここでは、背面および左右両側面）に空気の吸込口４０ａ、４０ｂ、４０ｃと天面に空気の吹出口４０ｄとが形成されたケーシング４０と、ケーシング４０内において吹出口４０ｄに面して配置された室外ファン１５と、ケーシング４０内において室外ファン１５の下側に配置された室外熱交換器１１と、を有している。そして、このような上吹き型のユニット構成では、室外ファン１５の下側に室外熱交換器１１が配置されるため、室外熱交換器１１を通過する空気の風速は、室外熱交換器１１の上部のほうが室外熱交換器１１の下部に比べて速くなる傾向がある（図３参照）。
【００７０】
（３−２）室外熱交換器
室外熱交換器１１は、冷媒と室外空気との熱交換を行う熱交換器であり、主として、第１ヘッダ集合管８０と、第２ヘッダ集合管９０と、複数の扁平多穴管６３と、複数のフィン６４と、を有している。ここでは、第１ヘッダ集合管８０、第２ヘッダ集合管９０、扁平多穴管６３およびフィン６４のすべてが、アルミニウムまたはアルミニウム合金で形成されており、互いにロウ付け等によって接合されている。
【００７１】
第１ヘッダ集合管８０および第２ヘッダ集合管９０はいずれも、縦長中空の円筒形状の部材である。第１ヘッダ集合管８０は、室外熱交換器１１の一端側（ここでは、図４の左前端側）に立設されており、第２ヘッダ集合管９０は、室外熱交換器１１の他端側（ここでは、図４の右前端側）に立設されている。
【００７２】
扁平多穴管６３は、伝熱面となる鉛直方向を向く扁平面６３ａと、冷媒が流れる多数の小さな通路６３ｂを有する扁平多穴管である。扁平多穴管６３は、上下に複数配列されており、両端が第１ヘッダ集合管８０および第２ヘッダ集合管９０に接続されている。なお、本実施形態においては、複数の扁平多穴管６３は、上下方向において一定の間隔をあけて所定ピッチで配置されている。フィン６４は、隣り合う扁平多穴管６３の間を空気が流れる複数の通風路に区画しており、複数の扁平多穴管６３を差し込めるように、水平に細長く延びる複数の切り欠き６４ａが形成されている。フィン６４の切り欠き６４ａの形状は、扁平多穴管６３の断面の外形にほぼ一致している。
【００７３】
室外熱交換器１１は、上下に複数並んだ扁平多穴管６３に対してフィン６４が固定されて構成された熱交換部６０を有している。熱交換部６０は、上段側の上段熱交換部６０Ａと、下段側の下段熱交換部６０Ｂと、を有している。
【００７４】
第１ヘッダ集合管８０は、その内部空間が水平方向に広がった仕切板８１によって上下に仕切られることで、上段熱交換部６０Ａと下段熱交換部６０Ｂに対応するように、ガス側出入口連通空間８０Ａと液側出入口連通空間８０Ｂが形成されている。そして、ガス側出入口連通空間８０Ａには、対応する上段熱交換部６０Ａを構成する扁平多穴管６３が連通している。また、液側出入口連通空間８０Ｂには、対応する下段熱交換部６０Ｂを構成する扁平多穴管６３が連通している。
【００７５】
また、第１ヘッダ集合管８０のガス側出入口連通空間８０Ａには、冷房運転時に圧縮機８から送られる冷媒をガス側出入口連通空間８０Ａに送る冷媒管１９（図１参照）が接続されている。
【００７６】
また、第１ヘッダ集合管８０の液側出入口連通空間８０Ｂには、暖房運転時に室外膨張弁１２から送られる冷媒を液側出入口連通空間８０Ｂに送る冷媒管２０（図１参照）が接続されている。
【００７７】
第２ヘッダ集合管９０は、その内部空間が水平方向に広がった仕切板９１、９２、９３、９４によってそれぞれ上下に仕切られつつ、仕切板９２と仕切板９３の間に設けられたノズル付き区切板９９によって上下に区切られることで、上側から順に並んだ第１〜第３上段折り返し連通空間９０Ａ、９０Ｂ、９０Ｃと、第１〜第３下段折り返し連通空間９０Ｄ、９０Ｅ、９０Ｆと、が形成されている。第１〜第３上段折り返し連通空間９０Ａ、９０Ｂ、９０Ｃには、対応する上段熱交換部６０Ａにおける扁平多穴管６３が連通しており、第１〜第３下段折り返し連通空間９０Ｄ、９０Ｅ、９０Ｆには、対応する下段熱交換部６０Ｂにおける扁平多穴管６３が連通している。第３上段折り返し連通空間９０Ｃと第１下段折り返し連通空間９０Ｄとは、ノズル付き区切板９９によって上下に区切られているが、ノズル付き区切板９９において上下に貫通するように設けられたノズル９９ａを介して上下に連通している。また、第１上段折り返し連通空間９０Ａと第３下段折り返し連通空間９０Ｆとは、第２ヘッダ集合管９０に接続されている第１接続配管２４を介して接続されており、第２上段折り返し連通空間９０Ｂと第２下段折り返し連通空間９０Ｅとは、第２ヘッダ集合管９０に接続されている第２接続配管２５を介して接続されている。なお、第１接続配管２４も第２接続配管２５も、いずれも円筒形状の配管であり、簡易な構造で耐圧強度に優れたものとなっている。また、第１接続配管２４や第２接続配管２５のうち第２ヘッダ集合管９０との接続箇所は、第２ヘッダ集合管９０のうちの扁平多穴管６３が接続されている側とは反対側であって、軸方向が水平方向となっている。
【００７８】
以上の構成により、室外熱交換器１１が冷媒の蒸発器として機能する場合には、冷媒管２０から第１ヘッダ集合管８０の液側出入口連通空間８０Ｂに流入した冷媒は、液側出入口連通空間８０Ｂに接続されている下段熱交換部６０Ｂの扁平多穴管６３を流れて、第２ヘッダ集合管９０の第１〜第３下段折り返し連通空間９０Ｄ、９０Ｅ、９０Ｆに流入する。第１下段折り返し連通空間９０Ｄに流入した冷媒は、ノズル付き区切板９９のノズル９９ａを介して第３上段折り返し連通空間９０Ｃに流入し、第３上段折り返し連通空間９０Ｃに接続されている上段熱交換部６０Ａの扁平多穴管６３を介して、第１ヘッダ集合管８０のガス側出入口連通空間８０Ａに流入する。第２下段折り返し連通空間９０Ｅに流入した冷媒は、第２接続配管２５を介して第２上段折り返し連通空間９０Ｂに流入し、第２上段折り返し連通空間９０Ｂに接続されている上段熱交換部６０Ａの扁平多穴管６３を介して、第１ヘッダ集合管８０のガス側出入口連通空間８０Ａに流入する。第３下段折り返し連通空間９０Ｆに流入した冷媒は、第１接続配管２４を介して第１上段折り返し連通空間９０Ａに流入し、第１上段折り返し連通空間９０Ａに接続されている上段熱交換部６０Ａの扁平多穴管６３を介して、第１ヘッダ集合管８０のガス側出入口連通空間８０Ａに流入する。第１ヘッダ集合管８０のガス側出入口連通空間８０Ａにおいて合流した冷媒は、冷媒管１９を介して室外熱交換器１１の外部に流れていくことになる。なお、室外熱交換器１１が冷媒の放熱器として用いられる場合には、上記とは反対の冷媒流れとなる。
【００７９】
（４）第１上段折り返し連通空間９０Ａ等の内部構造
図８に、室外熱交換器１１の第２ヘッダ集合管９０の第１上段折り返し連通空間９０Ａにおける空気流れ方向視の概略断面構成図を示す。図９に、室外熱交換器１１の第２ヘッダ集合管９０の第１上段折り返し連通空間９０Ａにおける上面視の概略断面構成図を示す。図１０に、ノズル付き部分傾斜区切部材７０の概略外観斜視図を示す。図１１に、循環用区切板９５の扁平多穴管６３の挿入方向視における概略外観図を示す。
【００８０】
第１上段折り返し連通空間９０Ａには、ノズル７１ａが設けられたノズル付き部分傾斜区切部材７０と、上下および空気通過方向に広がった循環用区切板９５と、が設けられている。なお、第１上段折り返し連通空間９０Ａの底は、仕切板９１によって覆われている。この仕切板９１は、他の仕切板９２、９３、９４と同様に、均一な板厚で水平方向に略円形に広がった板状部材であり、傾斜部分等の無い簡易な構造の部材である。
【００８１】
なお、第２ヘッダ集合管９０は、図９に示すように、上面視において扁平多穴管６３側に凸の略円弧形状である第１ヘッダ構成部材９０ａと、上面視において扁平多穴管６３側とは反対側に凸の略円弧形状である第２ヘッダ構成部材９０ｂと、が循環用区切板９５を、扁平多穴管６３が挿入されている方向（循環用区切板９５の板厚方向）から挟持することにより構成されている。ここで、循環用区切板９５には、風上側の端部において板厚方向に広がった風上側端部９５ｘと、風下側の端部において板厚方向に広がった風下側端部９５ｙと、が設けられており、これらが第１ヘッダ構成部材９０ａと第２ヘッダ構成部材９０ｂとを空気流れ方向外側から挟み込んだ状態で、互いにロウ付け固定される構造となっている。
【００８２】
ノズル付き部分傾斜区切部材７０は、第１上段折り返し連通空間９０Ａを、上方に位置している循環用空間９８と、下方に位置している導入空間９７と、に上下に区切っている。ノズル付き部分傾斜区切部材７０は、図９に示すように、ノズル形成部７１と、傾斜部７２と、被挟持端部７３と、を有して構成された一部材である。このように、ノズル付き部分傾斜区切部材７０を一部材によって構成することで、部品点数を削減することが可能になっている。なお、導入空間９７は、第１上段折り返し連通空間９０Ａ内に設けられたノズル付き部分傾斜区切部材７０と、仕切板９１とによって上下に囲まれており、第１接続配管２４の端部が扁平多穴管６３側とは反対側において接続されている。なお、本実施形態においては、導入空間９７には、扁平多穴管６３が接続されていない。
【００８３】
ノズル形成部７１は、水平方向に広がった板状の平面部を有しており、風上側と風下側において板厚方向（上下方向）に貫通したノズル７１ａが形成されている。ノズル形成部７１の一部は、上面視において半円弧形状の輪郭を有しており、第１ヘッダ構成部材９０ａの略半円弧形状である内周面に対して接した状態でロウ付け固定される。なお、ノズル形成部７１の扁平多穴管６３側とは反対側の部分は、循環用区切板９５を板厚方向に貫通しつつ、周囲の循環用区切板９５の一部（後述する支持突起９５ｄおよび下連通口９５ｂの両側部分）によって上下方向から挟持されることで支持されている。このノズル形成部７１は、上面視において、主として上昇用空間９８Ａと重なるように位置している。
【００８４】
傾斜部７２は、ノズル形成部７１の扁平多穴管６３側とは反対側の部分から連なるように伸び出した板状部分であり、扁平多穴管６３側とは反対側に向かうにつれて上方に位置するように傾斜した傾斜面を構成している。傾斜部７２も、半円弧形状の輪郭部を有しており、第２ヘッダ構成部材９０ｂの略半円弧形状である内周面に対して接した状態でロウ付け固定される。この傾斜部７２は、上面視において、主として下降用空間９８Ｂと重なるように位置している。
【００８５】
被挟持端部７３は、傾斜部７２の扁平多穴管６３側とは反対側の部分から連なるように伸び出しており、水平方向に広がった板状の平面部を有している。被挟持端部７３は、第２ヘッダ構成部材９０ｂに設けられた開口内に位置し、当該開口によって上下前後から囲まれた状態でロウ付け固定される。
【００８６】
なお、第２上段折り返し連通空間９０Ｂ内の底を構成する仕切板９２の上方においても、上記と同様の構成のノズル付き部分傾斜区切部材７０が設けられている。
【００８７】
これらのノズル付き部分傾斜区切部材７０は、仕切板９１、９２と共に、先に循環用区切板９５に設けられた挿入用の開口に挿入された状態で、第１ヘッダ構成部材９０ａと第２ヘッダ構成部材９０ｂによって挟み込まれることで製造される。
【００８８】
循環用区切板９５は、第１上段折り返し連通空間９０Ａ内のうちノズル付き部分傾斜区切部材７０よりも上方の空間において、上下および空気通過方向に広がるように設けられている。この循環用区切板９５は、循環用空間９８内を、扁平多穴管６３が接続されており蒸発器使用時に冷媒を上昇させる上昇用空間９８Ａと、蒸発器使用時に冷媒を下降させる下降用空間９８Ｂと、に区切っている。なお、循環用区切板９５は、第２，第３上段折り返し連通空間９０Ｂ、９０Ｃ内についても同様に、上昇用空間９８Ａと下降用空間９８Ｂとに区切っている。すなわち、循環用区切板９５は、これらの第１〜第３上段折り返し連通空間９０Ａ、９０Ｂ、９０Ｃにおいて上下方向に連続した１つの板状部材によって構成されている。
【００８９】
なお、ノズル付き部分傾斜区切部材７０のノズル形成部７１に設けられたノズル７１ａは、上昇用空間９８Ａに繋がる位置、すなわち、上面視において上昇用空間９８Ａと重複する位置に設けられている。
【００９０】
この循環用区切板９５には、第１上段折り返し連通空間９０Ａ内の循環用空間９８においては、循環用空間９８の上方においては、板厚方向に貫通した上連通口９５ａと、循環用空間９８の下方において板厚方向に貫通した下連通口９５ｂが設けられている。第１上段折り返し連通空間９０Ａ内のノズル付き部分傾斜区切部材７０よりも下方の導入空間９７においては、循環用区切板９５には、板厚方向に貫通した連絡口９５ｃが設けられている。ここで、第２ヘッダ集合管９０に接続されている扁平多穴管６３の端部は、いずれも上昇用空間９８Ａ内に位置しており、循環用区切板９５には達していない。
【００９１】
なお、第２上段折り返し連通空間９０Ｂ内においても同様に、上連通口９５ａと下連通口９５ｂと連絡口９５ｃが設けられており、第３上段折り返し連通空間９０Ｃ内においては、上連通口９５ａと下連通口９５ｂが設けられている。
【００９２】
なお、図１１に示すように、循環用区切板９５のうち、第２上段折り返し連通空間９０Ｂ内に位置する部分から第１上段折り返し連通空間９０Ａ内に位置する部分にかけては、下から順に、第２上段折り返し連通空間９０Ｂ用の上連通口９５ａと、第１上段折り返し連通空間９０Ａ用の連絡口９５ｃと、第１上段折り返し連通空間９０Ａ用の下連通口９５ｂと、が並んで設けられている。ここで、第２上段折り返し連通空間９０Ｂ用の上連通口９５ａと、第１上段折り返し連通空間９０Ａ用の連絡口９５ｃとは、仕切板９１を挿入固定するための開口を介して連続している。また、第１上段折り返し連通空間９０Ａ用の連絡口９５ｃと、第１上段折り返し連通空間９０Ａ用の下連通口９５ｂとは、ノズル付き部分傾斜区切部材７０のノズル形成部７１を挿入固定するための開口を介して連続している。図１１に示すように、仕切板９１を挿入固定するための開口とノズル付き部分傾斜区切部材７０のノズル形成部７１を挿入固定するための開口については、空気流れ方向の上流側から下流側にかけて、第２ヘッダ集合管９０の第１ヘッダ構成部材９０ａと第２ヘッダ構成部材９０ｂに到るまで広がっている。また、第２上段折り返し連通空間９０Ｂ用の上連通口９５ａと、第１上段折り返し連通空間９０Ａ用の連絡口９５ｃと、第１上段折り返し連通空間９０Ａ用の下連通口９５ｂと、は、いずれも、第２ヘッダ集合管９０の第１ヘッダ構成部材９０ａと第２ヘッダ構成部材９０ｂの手前まで広がっている。第１上段折り返し連通空間９０Ａ用の連絡口９５ｃの風上側端部と風下側端部からそれぞれ風下側と風上側に向けて突起した支持突起９５ｄが設けられている。これにより、ノズル付き部分傾斜区切部材７０のノズル形成部７１は、上側からは第１上段折り返し連通空間９０Ａ用の下連通口９５ｂの空気流れ方向の前後の部分により、下側からは支持突起９５ｄの上端部分により、上下方向に挟持される。また、仕切板９１は、上側からは支持突起９５ｄの下端部分により、下側からは第２上段折り返し連通空間９０Ｂ用の上連通口９５ａの空気流れ方向の前後の部分により、上下方向に挟持される。以上により、第１上段折り返し連通空間９０Ａ用の下連通口９５ｂの下縁部は、ノズル付き部分傾斜区切部材７０のノズル形成部７１の上面（ノズル７１ａよりも扁平多穴管６３側とは反対側の部分の上面）によって形成されていることになる。また、第１上段折り返し連通空間９０Ａ用の連絡口９５ｃは、ノズル付き部分傾斜区切部材７０のノズル形成部７１の下面（ノズル７１ａよりも扁平多穴管６３側とは反対側の部分の下面）と仕切板９１の上面と各支持突起９５ｄによって形成されていることになる。さらに、第２上段折り返し連通空間９０Ｂ用の上連通口９５ａの上縁部は、仕切板９１の下面によって形成されていることになる。
【００９３】
以上の構成により、第１上段折り返し連通空間９０Ａ内に設けられたノズル付き部分傾斜区切部材７０と仕切板９１とによって上下に囲まれた導入空間９７は、仕切板９１が水平に広がっているのに対してノズル付き部分傾斜区切部材７０には傾斜した傾斜部７２が設けられているため、扁平多穴管６３が接続されている側に向かうにつれて上下方向の間隔が狭まる構造となっている。なお、ノズル付き部分傾斜区切部材７０に傾斜部７２が設けられていることで、導入空間９７の上下方向の幅は、第１接続配管２４側からノズル７１ａの下方の部分にかけて、急激に狭まるのではなく、なだらかに狭まる構造となっている。したがって、第１接続配管２４から導入空間９７に流入した冷媒が、導入空間９７におけるノズル７１ａの下方に向けて移動する際に、急激な圧力損失を受けることを抑制することが可能になっている。
【００９４】
ここで、本実施形態では、第１接続配管２４の外径は、複数の扁平多穴管６３の上下方向の間隔よりも大きく、導入空間９７におけるノズル付き部分傾斜区切部材７０のうちのノズル形成部７１と仕切板９１との間の上下方向の間隔よりも大きい。また、複数の扁平多穴管６３のうちノズル７１ａの直近の（ノズル７１ａから最寄りの）扁平多穴管６３の下端は、第１接続配管２４の第１上段折り返し連通空間９０Ａに接続されている側の端部の上端よりも下方に位置している。この第１接続配管２４の大きさや配置関係は、第２上段折り返し連通空間９０Ｂの導入空間９７に接続された第２接続配管２５についても同様である。
【００９５】
そして、第１上段折り返し連通空間９０Ａ内に設けられたノズル付き部分傾斜区切部材７０のノズル形成部７１と仕切板９１とは、いずれも、互いに上下に隣り合う扁平多穴管６３同士の間に位置している。
【００９６】
（５）第１上段折り返し連通空間９０Ａにおける冷媒の流れ
以上の構造において、室外熱交換器１１が冷媒の蒸発器として用いられる場合の第１上段折り返し連通空間９０Ａ内における冷媒の流れを以下に説明する。
【００９７】
第１接続配管２４を介して、ノズル付き部分傾斜区切部材７０よりも下方の導入空間９７に流入した冷媒は、一部が、上昇用空間９８Ａの下方まで移動した後にノズル付き部分傾斜区切部材７０のノズル形成部７１のノズル７１ａを介して上昇用空間９８Ａ内に吹き上げられる。ここで、導入空間９７には扁平多穴管６３が接続されていないため、導入空間９７から直接扁平多穴管６３へと冷媒が流れることはない。
【００９８】
上昇用空間９８Ａ内に送り込まれた冷媒は、上昇用空間９８Ａ内を上昇しながら、高さ位置毎に接続されている扁平多穴管６３に対して分流されていく。なお、上昇用空間９８Ａの上端近傍に冷媒が到達した場合には、循環用区切板９５の上連通口９５ａを介して下降用空間９８Ｂに送られて、下降用空間９８Ｂを下降する。
【００９９】
下降用空間９８Ｂを下降した冷媒は、下降用空間９８Ｂの下端近傍において、ノズル付き部分傾斜区切部材７０の傾斜部７２の上面を沿うようにして、扁平多穴管６３側に向かいながら下降する。そして、下降用空間９８Ｂを下降した冷媒は、循環用区切板９５の下連通口９５ｂを介して再び上昇用空間９８Ａに導かれる。このようにして、循環用空間９８内において冷媒が循環する。
【０１００】
なお、第２上段折り返し連通空間９０Ｂ内の構造および冷媒流れは、上記第１上段折り返し連通空間９０Ａ内の構造および冷媒流れと同様であるため、説明を省略する。
【０１０１】
また、第３上段折り返し連通空間９０Ｃ内の構造および冷媒流れは、上記第１上段折り返し連通空間９０Ａにおけるノズル付き部分傾斜区切部材７０が、第３上段折り返し連通空間９０Ｃの下端を構成するノズル付き区切板９９に対応する点において相違するが、他の構造および冷媒流れは同様であるため、説明を省略する。
【０１０２】
（６）特徴
（６−１）
本実施形態の室外熱交換器１１は、ノズル付き部分傾斜区切部材７０のノズル形成部７１に設けられたノズル７１ａによって、冷媒を吹き上げさせることで、循環用空間９８の上昇用空間９８Ａにおいて冷媒を上昇させることが可能になっている。これにより、室外熱交換器１１が冷媒の循環量が少ない状況で用いられた場合であっても、第２ヘッダ集合管９０の第１上段折り返し連通空間９０Ａの上方に接続されている扁平多穴管６３に対しても十分に冷媒を供給することが可能となっている（第２上段折り返し連通空間９０Ｂについても同様である）。
【０１０３】
また、室外熱交換器１１における冷媒の循環量が多くなると、上昇用空間９８Ａを勢いよく上昇することで上昇用空間９８Ａの上方に集まった冷媒を、上連通口９５ａと下降用空間９８Ｂと下連通口９５ｂを介して循環させて、再び、上昇用空間９８Ａに戻すことが可能になっている。
【０１０４】
以上により、冷媒の循環量が変化した場合であっても、各高さに接続されている扁平多穴管６３それぞれに対する冷媒の分配を均等化させ、複数の扁平多穴管６３の間における冷媒の偏流を小さく抑えることが可能になっている。
【０１０５】
（６−２）
本実施形態では、第２ヘッダ集合管９０の第１上段折り返し連通空間９０Ａに対して、第１接続配管２４を介して冷媒が供給される構造が採用されているが、分流させる前の冷媒を流すための（凝縮器として機能する場合には、合流後の冷媒を流すための）第１接続配管２４は、その外径が大きくなりがちである。
【０１０６】
このため、上記実施形態では、第１接続配管２４の外径は、導入空間９７におけるノズル付き部分傾斜区切部材７０のうちのノズル形成部７１と仕切板９１との間の上下方向の間隔よりも大きくなっており、扁平多穴管６３の上下方向の間隔よりも大きい。また、第１接続配管２４の上端は、ノズル７１ａの直上の扁平多穴管６３の下端よりも上方に位置している。
【０１０７】
このような場合において、図１８に示すように、仮に、導入空間９７の上面と下面を構成する仕切板９１とノズル付き区切板９７１とがいずれも水平に広がった部材で構成されている場合には、導入空間９７の扁平多穴管６３側の上下方向の幅も大きくなりがちである。このため、扁平多穴管６３を上下方向に所定の間隔で配置する場合には、当該導入空間９７に扁平多穴管６３が接続される構成になってしまう。この場合には、ノズル付き区切板９７１の下方の導入空間９７に接続されている扁平多穴管６３（図１８において点線で囲む扁平多穴管６３）には、ノズル付き区切板９７１の上方の循環用空間９８に接続されている扁平多穴管６３と比べて、多くの冷媒が集中的に流れ込んでしまう（ノズル付き区切板９７１のノズル７１ａにおいて圧力損失が生じるため、ノズル７１ａの上流側と下流側とで冷媒の圧力が相違するためである。）。このため、複数の扁平多穴管６３の間において冷媒の偏流が生じてしまうことになる。このように偏流が生じると、複数の扁平多穴管６３のそれぞれを流れる冷媒の状態が相違してしまい（一部については蒸発しきってしまった冷媒が流れる箇所が長くなり、他の一部については蒸発しきれない冷媒が流れ出てしまう等により）、室外熱交換器１１の性能を十分に発揮させることができないおそれがある。他方で、このような導入空間９７に扁平多穴管６３を接続しない構成にしてしまうと（図１８において点線で囲む扁平多穴管６３を省略すると）、外径の大きな第１接続配管２４の幅に対応する分だけ扁平多穴管６３を設けることができず、扁平多穴管６３の本数が減少し、室外熱交換器１１の能力が低減してしまう。そして、このように省略する扁平多穴管６３を、循環用空間９８の上方に追加することで扁平多穴管６３の本数を同数とさせる場合には、室外熱交換器１１が上下方向に大型化してしまう。
【０１０８】
これに対して、本実施形態の室外熱交換器１１では、第２ヘッダ集合管９０の第１上段折り返し連通空間９０Ａに対して、第１接続配管２４を介して冷媒が供給される構造を採用する場合において、第１接続配管２４の外径が扁平多穴管６３の上下方向の間隔よりも大きい場合や、第１接続配管２４の外径が導入空間９７におけるノズル付き部分傾斜区切部材７０のうちのノズル形成部７１と仕切板９１との間の上下方向の間隔よりも大きい場合や、第１接続配管２４の上端がノズル７１ａの直上の扁平多穴管６３の下端よりも上方に位置している場合であっても、傾斜部７２を有するノズル付き部分傾斜区切部材７０を採用することで、導入空間９７におけるノズル７１ａの下方の空間を、第１接続配管２４の接続側の空間よりも、上下方向の幅を狭めることが可能になっている。
【０１０９】
これにより、導入空間９７の扁平多穴管６３側の上下方向の幅を狭めて、導入空間９７に接続される扁平多穴管６３の本数を少なく抑えることが可能になっている。
【０１１０】
特に、本実施形態では、第１上段折り返し連通空間９０Ａにおける循環用空間９８側においてのみ扁平多穴管６３を接続して、導入空間９７には扁平多穴管６３が接続されていない構成としている。このため、複数の扁平多穴管６３の間における冷媒の偏流を十分に抑制することが可能になっている。
【０１１１】
そして、このような偏流を抑制させる場合であっても、扁平多穴管６３を省略したり、循環用空間９８側に扁平多穴管６３を増設したりする必要が無いため、性能の低下や室外熱交換器１１の大型化も回避することが可能になっている。
【０１１２】
（７）変形例
上記実施形態では、実施形態の一例を説明したが、上記実施形態はなんら本開示内容を限定する趣旨ではなく、上記実施形態には限られない。本開示内容には、その趣旨を逸脱しない範囲で適宜変更した態様についても当然に含まれる。
【０１１３】
（７−１）変形例Ａ
上記実施形態では、ノズル形成部７１と傾斜部７２を有するノズル付き部分傾斜区切部材７０が一部材によって構成されている場合を例に挙げて説明した。
【０１１４】
しかし、図１２に示すように、上昇用空間９８Ａの下面を構成するように設けられたノズル形成部材２７１と、ノズル形成部材２７１よりも高い位置において下降用空間９８Ｂの下面を構成するように設けられたガイド部材２７２と、に別れて構成されていてもよい。
【０１１５】
ここで、循環用区切板９５の一部であって下連通口９５ｂの下方部分を構成する上連絡部分９５ｆが、ノズル形成部材２７１の扁平多穴管６３側とは反対側の部分と、ガイド部材２７２の扁平多穴管６３側の部分と、を上下に繋ぐように設けられている。この構造により、第１接続配管２４を介して導入空間９７に流入した冷媒は、連続的ではなく段階的にではあるもののノズル７１ａの下方に導かれる。
【０１１６】
なお、当該ノズル形成部材２７１とガイド部材２７２とが上連絡部分９５ｆで繋いで構成された構造では、上記実施形態におけるノズル付き部分傾斜区切部材７０と比べると、第１接続配管２４を介して導入空間９７に流入した冷媒が上連絡部分９５ｆに強く衝突することによる圧力損失が生じやすく、上記実施形態におけるノズル付き部分傾斜区切部材７０では衝突を緩和できるいという観点から、上記実施形態におけるノズル付き部分傾斜区切部材７０の方が好ましい。
【０１１７】
なお、図示は省略するが、上記記載とは反対に、導入空間９７の上縁を、ノズル７１ａが形成された水平に広がる板状部材によって構成し、導入空間の下縁を、扁平多穴管６３が接続されている側において水平に広がるように設けられた扁平管側底部と、扁平管側底部よりも低い位置であって扁平多穴管６３が接続されている側とは反対側において水平に広がるように設けられた反多穴管側底部と、循環用区切板９５の一部であって導入空間９７の下方に位置する上連通口９５ａの上方部分を構成しており扁平管側底部の扁平多穴管６３側とは反対側の部分と反多穴管側底部の扁平多穴管６３側の部分とを上下に繋ぐ下連絡部分と、によって構成される構造であってもよい。
【０１１８】
また、さらには、上記ノズル形成部材２７１と、ガイド部材２７２と、上連絡部分９５ｆと、扁平管側底部と、反多穴管側底部と、下連絡部分と、の全てによって導入空間９７が構成されていてもよい。
【０１１９】
（７−２）変形例Ｂ
上記実施形態では、導入空間９７の上縁が傾斜部７２を有するノズル付き部分傾斜区切部材７０によって構成され、導入空間９７の下縁が水平に広がった仕切板９１によって構成された場合について例に挙げて説明した。
【０１２０】
しかし、導入空間９７は、図１３に示すように、ノズル７１ａを有しており、導入空間９７の上縁を構成するように水平に広がったノズル付き区切板３７０と、導入空間９７の下縁を構成する部分傾斜仕切部材３９１と、によって形成されていてもよい。
【０１２１】
部分傾斜仕切部材３９１は、水平仕切部３９１ａと、下方傾斜部３９１ｂと、被挟持端部３９１ｃと、を有している。水平仕切部３９１ａは、扁平多穴管６３側（上昇用空間９８Ａ側）に設けられており、水平に広がっている。下方傾斜部３９１ｂは、水平仕切部３９１ａの扁平多穴管６３側とは反対側から伸び出しており、扁平多穴管６３側とは反対側に向かうにつれて下方に位置するように傾斜している。被挟持端部３９１ｃは、下方傾斜部３９１ｂの扁平多穴管６３側とは反対側に連なっており、第２ヘッダ構成部材９０ｂに設けられた対応する開口部分に挿入固定される。
【０１２２】
以上の構成においても、第１接続配管２４の外径が大きい場合であっても、上記実施形態と同様の効果を奏することが可能である。
【０１２３】
また、第１接続配管２４の導入空間９７内の下端が、水平仕切部３９１ａの直下に位置する扁平多穴管６３と重なる高さ位置となる場合や水平仕切部３９１ａの直下に位置する扁平多穴管６３よりもさらに低い位置である場合であっても、下方傾斜部３９１ｂが傾斜して設けられていることで、第１接続配管２４を介して導入空間９７内に流入した冷媒を、ノズル７１ａの直下に導くことが可能になっている。
【０１２４】
また、部分傾斜仕切部材３９１が有する下方傾斜部３９１ｂは、下方傾斜部３９１ｂの扁平多穴管６３側の端部が水平仕切部３９１ａの扁平多穴管６３とは反対側の端部と同じ高さ位置でなだらかに繋がっている。このため、当該導入空間９７の下方に位置する循環用空間９８における上連通口９５ａを通過する冷媒は、通過抵抗を受けにくい。
【０１２５】
（７−３）変形例Ｃ
上記実施形態では、導入空間９７の上縁が傾斜部７２を有するノズル付き部分傾斜区切部材７０によって構成され、導入空間９７の下縁が水平に広がった仕切板９１によって構成された場合について例に挙げて説明した。
【０１２６】
これに対して、導入空間９７は、図１４に示すように、導入空間９７の上縁を上記実施形態と同様のノズル付き部分傾斜区切部材７０によって構成し、導入空間９７の下縁を変形例Ｂに記載の部分傾斜仕切部材３９１によって構成し、ノズル付き部分傾斜区切部材７０の傾斜部７２と部分傾斜仕切部材３９１の下方傾斜部３９１ｂとの間の空間における上下方向の中心に第１接続配管２４の軸を位置させるようにしてもよい。なお、この場合において、部分傾斜仕切部材３９１は、図１５に示すように、ノズル７１ａが形成されていない点以外はノズル付き部分傾斜区切部材７０と同じ形状のものとすることで、製造コストを削減することができる。
【０１２７】
以上の構造によれば、ノズル付き部分傾斜区切部材７０の傾斜部７２が第２ヘッダ集合管９０における扁平多穴管６３の接続側とは反対側に向かうにつれて上方に位置するように伸びており、ノズル形成部７１が傾斜部７２の最も低い部分で繋がっているため、導入空間９７に接続される第１接続配管２４の上下方向の上限位置を高めることができると共に導入空間９７のうちの扁平多穴管６３が接続されている側の空間部分の上下方向の上端位置を下げることができる。さらに、部分傾斜仕切部材３９１の下方傾斜部３９１ｂが、第２ヘッダ集合管９０における扁平多穴管６３の接続側とは反対側に向かうにつれて下方に位置するように伸びており、水平仕切部３９１ａが下方傾斜部３９１ｂの最も高い部分で繋がっているため、導入空間９７に接続される第１接続配管２４の上下方向の下限位置を下げることができると共に導入空間９７のうちの扁平多穴管６３が接続されている側の空間部分の上下方向の下端位置を上げることができる。したがって、導入空間９７に接続することができる第１接続配管２４の外径が大きい場合であっても（例えば、第１接続配管２４の外周の上下方向における幅が扁平多穴管６３同士の間の上下方向における長さ以上であっても）、上下方向に等間隔で配置される扁平多穴管６３が導入空間９７に接続されることを防ぐか接続される本数を少なく抑えることが可能になる。
【０１２８】
さらに、導入空間９７のうち、ノズル付き部分傾斜区切部材７０の傾斜部７２と部分傾斜仕切部材３９１の下方傾斜部３９１ｂとで囲まれた部分における上下方向の中間位置に第１接続配管２４の中心軸が位置するように接続されているため、第１接続配管２４から導入空間９７に導入された冷媒の多くを、ノズル付き部分傾斜区切部材７０の傾斜部７２や部分傾斜仕切部材３９１の下方傾斜部３９１ｂへの衝突を抑制させつつ、ノズル付き部分傾斜区切部材７０のノズル形成部７１と部分傾斜仕切部材３９１の水平仕切部３９１ａとで囲まれた部分に向けて供給することができる。このため、冷媒流れがノズル付き部分傾斜区切部材７０の傾斜部７２や部分傾斜仕切部材３９１の下方傾斜部３９１ｂに衝突する際に生じる圧力損失を小さく抑えることが可能になっている。
【０１２９】
（７−４）変形例Ｄ
上記実施形態では、室外熱交換器１１の構造として、蒸発器として用いられる場合の冷媒流れにおいて、下段側の下段熱交換部６０Ｂを流れた後であって上段側の上段熱交換部６０Ａを供給される前の段階の冷媒が流れる位置（第１上段折り返し連通空間９０Ａ、第２上段折り返し連通空間９０Ｂ、第３上段折り返し連通空間９０Ｃ）において、ノズル７１ａを用いて冷媒を上昇させながら各高さ位置の扁平多穴管６３に対して分流させる構造を例に挙げて説明した。
【０１３０】
しかし、室外熱交換器１１において、ノズル７１ａを用いて冷媒を上昇させながら各高さ位置の扁平多穴管６３に対して分流させる構造が採用される箇所は、上記実施形態に限定されるものではない。
【０１３１】
例えば、図１６、図１７に示すように、それぞれ立設して設けられたヘッダ集合管５０と折返しヘッダ３０とが上下方向に並んだ複数の扁平多穴管６３によって連結されて構成された室外熱交換器１１ａにおいて、分流器９において分流された冷媒が各分岐管２０ａ〜２０ｄを介してヘッダ集合管５０内の各導入空間５１ｃ〜５４ｃに流入した後に箇所において、ノズルを用いて冷媒を上昇させながら各高さ位置の扁平多穴管６３に対して分流させるようにしてもよい。
【０１３２】
この室外熱交換器１１ａのヘッダ集合管５０の内部は、冷媒流れのパス毎に別れており、具体的には上方から順に第１〜第４分流空間５０Ａ〜５０Ｄに別れている。各第１〜第４分流空間５０Ａ〜５０Ｄは、上記実施形態と同様のノズル等が形成されていない部分傾斜仕切部材３９１によって上下に仕切られている。また、室外熱交換器１１ａの折返しヘッダ３０の内部も、冷媒流れのパス毎に別れており、ヘッダ集合管５０の第１〜第４分流空間５０Ａ〜５０Ｄにそれぞれ対応するように、上方から順に第１〜第４折返し空間３０Ａ〜３０Ｄに別れている。各第１〜第４折返し空間３０Ａ〜３０Ｄは、開口等が形成されていない仕切板２６、２７、２８によって上下に仕切られている。
【０１３３】
ヘッダ集合管５０の第１分流空間５０Ａ内は、さらに、上方から順に、上部空間５１ａ、循環用空間５１ｂ、導入空間５１ｃが並んで設けられている。上部空間５１ａと循環用空間５１ｂとは、仕切板５１ｘによって上下に仕切られている。循環用空間５１ｂと導入空間５１ｃとは、上記実施形態と同様のノズル付き部分傾斜区切部材７０によって上下に区切られている。なお、循環用空間５１ｂの内部については、循環用区切板９５が設けられて冷媒を循環させる構造である点等において、上記実施形態と同様である。また、導入空間９７の下縁が部分傾斜仕切部材３９１で構成され、導入空間９７の上縁がノズル付き部分傾斜区切部材７０で構成されている点は、上記変形例Ｃと同様である。
【０１３４】
ヘッダ集合管５０の第２分流空間５０Ｂ内は、第１分流空間５０Ａ内と同様であり、さらに、上方から順に、上部空間５２ａ、循環用空間５２ｂ、導入空間５２ｃが並んで設けられており、上部空間５２ａと循環用空間５２ｂとが仕切板５２ｘによって上下に仕切られ、循環用空間５２ｂと導入空間５２ｃとがノズル付き部分傾斜区切部材７０によって上下に区切られている。
【０１３５】
ヘッダ集合管５０の第３分流空間５０Ｃ内は、第１分流空間５０Ａ内と同様であり、さらに、上方から順に、上部空間５３ａ、循環用空間５３ｂ、導入空間５３ｃが並んで設けられており、上部空間５３ａと循環用空間５３ｂとが仕切板５１ｘによって上下に仕切られ、循環用空間５３ｂと導入空間５３ｃとがノズル付き部分傾斜区切部材７０によって上下に区切られている。
【０１３６】
ヘッダ集合管５０の第４分流空間５０Ｄ内は、さらに、上方から順に、上部空間５４ａ、循環用空間５４ｂ、導入空間５４ｃが並んで設けられており、上部空間５４ａと循環用空間５４ｂとが仕切板５４ｘによって上下に仕切られ、循環用空間５４ｂと導入空間５４ｃとがノズル付き部分傾斜区切部材７０によって上下に区切られている。なお、第４分流空間５０Ｄ内の導入空間５４ｃの下端は、ヘッダ集合管５０の端部によって構成されている。
【０１３７】
ヘッダ集合管５０において、第１分流空間５０Ａ内の上部空間５１ａからは合流配管５９ａが、第２分流空間５０Ｂ内の上部空間５２ａからは合流配管５９ｂが、第３分流空間５０Ｃ内の上部空間５３ａからは合流配管５９ｃが、第４分流空間５０Ｄ内の上部空間５４ａからは合流配管５９ｄが、それぞれ延びだしており、冷媒管１９が延びだしている合流部５９に接続されている。
【０１３８】
当該室外熱交換器１１ａが冷媒の蒸発器として用いられる場合には、分流器９において分流された冷媒が、各分岐管２０ａ〜２０ｄを介してヘッダ集合管５０内の各導入空間５１ｃ〜５４ｃに流入する。その後、各導入空間５１ｃ〜５４ｃの各ノズル付き部分傾斜区切部材７０のノズルを介して、それぞれ循環用空間５１ｂ〜５４ｂに吹き上げられた冷媒は、各循環用空間５１ｂ〜５４ｂにおいて上昇および循環しながら、各循環用空間５１ｂ〜５４ｂに接続された複数の扁平多穴管６３に向けて分流される。その後、扁平多穴管６３の他端まで流れることで折返しヘッダ３０に到達した冷媒は、より上方に接続されている複数の扁平多穴管６３に流入することで、再び、ヘッダ集合管５０側に向けて流れる。ヘッダ集合管５０の各上部空間５１ａ〜５４ａに到達した冷媒は、各合流配管５９ａ〜５９ｄを介して合流部５９に流入し、冷媒管１９に向けて流れていくことになる。なお、室外熱交換器１１ａが凝縮器として機能する場合には、概ね上記とは反対の流れとなる。
【０１３９】
以上の室外熱交換器１１ａの構造であっても、上記実施形態や上記各変形例に記載の例と同様の効果を奏することが可能である。
【０１４０】
（７−５）変形例Ｅ
上記実施形態では、導入空間９７に扁平多穴管６３が接続されていない場合を例に挙げて説明した。
【０１４１】
これに対して、導入空間９７に扁平多穴管６３が接続されている構成としてもよい、この場合であっても、導入空間９７の第１接続配管２４の接続側よりもノズル７１ａ側の方が上下方向の幅を狭くすることができているため、導入空間９７に接続される扁平多穴管６３の本数を少なく抑えることができる。これにより、導入空間９７においてノズル７１ａを通過する前の圧力が高めの冷媒が流れていく扁平多穴管６３を少なくすることができるため、複数の扁平多穴管６３の間における冷媒の偏流をできるだけ小さく抑えることができる。
【０１４２】
（７−６）変形例Ｆ
上記実施形態および変形例では、第２ヘッダ集合管９０等のヘッダの長手方向が鉛直方向となる姿勢であり、複数の扁平多穴管６３が鉛直方向に並んで配置されている熱交換器を例に挙げて説明した。
【０１４３】
しかし、熱交換器としては、これに限られず、例えば、ヘッダの長手方向が水平方向または水平方向から傾斜した方向に延びる姿勢であり、当該ヘッダの長手方向に沿うように複数の扁平多穴管が並べられた熱交換器としてもよい。
【０１４４】
この場合であっても、当該ヘッダの長手方向における熱交換器の大型化を抑制し、能力の低下を抑制しつつ、複数の扁平多穴管の間における冷媒の偏流を小さく抑えることが可能である。
【０１４５】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０１４６】
１      空気調和装置
２      室外ユニット
１１、１１ａ    室外熱交換器（熱交換器）
２０ａ〜２０ｄ    分岐管（冷媒配管）
２４    第１接続配管（冷媒配管）
２５    第２接続配管（冷媒配管）
５０    ヘッダ集合管（ヘッダ）
５１ａ〜５４ａ    上部空間
５１ｂ〜５４ｂ    循環用空間（供給空間、上方空間、上方の空間）
５１ｃ〜５４ｃ    導入空間
６３    扁平多穴管（扁平管）
６３ａ  扁平面
６４    フィン
７０    ノズル付き部分傾斜区切部材
７１    ノズル形成部（第１区切部）
７１ａ  ノズル（ノズル部）
７２    傾斜部（第１ガイド部）
９０    第２ヘッダ集合管（ヘッダ）
９０ａ  多穴管側部材
９０ｂ  反多穴管側部材
９１    仕切板（下方平板部）
９２    仕切板（下方平板部）
９５    循環用区切板（供給空間区切部材）
９５ａ  上連通口（第１連通路）
９５ｂ  下連通口（第２連通路）
９５ｃ  連絡口
９５ｆ  連絡部分
９７    導入空間
９８    循環用空間（供給空間、上方空間、上方の空間）
９８Ａ  上昇用空間（第１空間）
９８Ｂ  下降用空間（第２空間）
２７２  ガイド部材
３７０  ノズル付き区切板（上方平板部）
３９１  部分傾斜仕切部材
３９１ａ  水平仕切部（扁平管側壁部）
３９１ｂ  下方傾斜部（第２ガイド）
【先行技術文献】
【特許文献】
【０１４７】
特許文献１：特開２０１５−１２７６１８号公報
【図１】
2019056543.tif 000003
【図２】
2019056543.tif 000004
【図３】
2019056543.tif 000005
【図４】
2019056543.tif 000006
【図５】
2019056543.tif 000007
【図６】
2019056543.tif 000008
【図７】
2019056543.tif 000009
【図８】
2019056543.tif 000010
【図９】
2019056543.tif 000011
【図１０】
2019056543.tif 000012
【図１１】
2019056543.tif 000013
【図１２】
2019056543.tif 000014
【図１３】
2019056543.tif 000015
【図１４】
2019056543.tif 000016
【図１５】
2019056543.tif 000017
【図１６】
2019056543.tif 000018
【図１７】
2019056543.tif 000019
【図１８】
2019056543.tif 000020